(57)【要約】【課題】  伝送品質の良好なアンテナを選択する際に通信の瞬断を伴うことなく、且つデータの伝送遅延の少ない良好なデータの伝送品質を有する冗長受信処理装置及び冗長受信処理方法を得る。【解決手段】  複数本のアンテナのそれぞれに対応して受信処理部を設け、アンテナと受信処理部から成る受信系を複数系構成しておき、データ信号をそれぞれの受信系で受信処理して継続的に復調データを得る。そして、各受信系から受信データ再生部に最も早く到着した復調データから順に、伝送品質情報としてのＣＲＣ値をリアルタイムに検定し、条件を満足していれば、この検定済みの復調データに基づいて受信データを再生し出力する。【選択図】  図１
2006197261.tif 000002
【特許請求の範囲】
【請求項１】
データにこのデータの伝送品質情報が付加されて送信されるデータ信号を受信する複数のアンテナと、
前記複数のアンテナに対応して設けられ、前記各アンテナで受信した同一の前記データ信号をそれぞれに復調し、前記データと前記伝送品質情報とを復調データとして出力する複数の受信処理部と、
前記複数の受信処理部からの前記同一のデータ信号に対する復調データを受けとり、これら復調データに対して前記複数の受信部からの到着順に前記復調データ内の伝送品質情報を検定するとともに、あらかじめ設定された前記検定の条件を満足している最初の前記復調データを選択してこの選択した復調データに基づいて前記データを再生し受信データとして出力する受信データ再生部とを有することを特徴とする冗長受信処理装置。
【請求項２】
前記伝送品質情報は、前記データのＣＲＣ（Ｃｙｃｌｉｃ  Ｒｅｄｕｎｄａｎｃｙ  Ｃｈｅｃｋ）値とし、前記あらかじめ設定された前記検定の条件は、前記ＣＲＣ値と前記復調データ内の前記データに対して算出したＣＲＣ値とが等しいこととしたことを特徴とする請求項１に記載の冗長受信処理装置。
【請求項３】
データにこのデータの伝送品質情報が付加されて送信されるデータ信号を複数のアンテナで受信し、
前記受信したデータ信号を前記複数の各アンテナに対応させてそれぞれに復調し前記データと前記伝送品質情報とを復調データとして出力し、
これら復調データが出力された順に前記復調データ内の前記伝送品質情報を検定し、
あらかじめ設定された前記検定の条件を満足している最初の前記復調データを選択し、
この選択した復調データに基づいて前記データを再生し受信データとして出力することを特徴とする冗長受信処理方法。
【請求項４】
前記伝送品質情報は、前記データのＣＲＣ値とし、前記あらかじめ設定された前記検定の条件は、前記ＣＲＣ値と前記復調データ内の前記データに対して算出したＣＲＣ値とが等しいこととしたことを特徴とする請求項３に記載の冗長受信処理方法。
【発明の詳細な説明】
【技術分野】
【０００１】
本発明は、複数のアンテナを有し、例えば衛星、航空機、飛行船等の移動体から送信されるデータ信号を地上において受信する冗長受信装置及び冗長受信方法に関する。
【背景技術】
【０００２】
移動体等を対象にした無線通信システムにおいては、フェージングやマルチパス等、電波の伝搬状態によってその通信状態が大きく変化する。このため、従来より、受信側において複数のアンテナを設け、その中から良好な通信が可能なアンテナを選択することによって安定な通信路を確保するダイバーシティ方式が採用される。この種のダイバーシティ方式において、受信側に設けた複数のアンテナの中から最良のアンテナを選択する手法としては、種々のものが開示されている。
【０００３】
例えば、各アンテナにおける受信信号レベルに基づいてアンテナを切替える手法が開示されている（例えば、特許文献１参照。）。この特許文献１では、受信信号レベルが所定の閾値よりも低下したことを検知してアンテナを切替える第１の制御系と、第１期間内に観測される受信信号の平均的な受信レベルの値に応じて閾値を設定し、その後の第２期間内に観測された受信信号のレベルが上記閾値よりも低下したことを検知して使用アンテナを切替える第２の制御系と、受信信号の状態に応じて上記第１、第２の制御系の何れか一方を有効にするための選択手段を備えており、アンテナ切替え時の切替え雑音による信号誤りを回避している。
【０００４】
また、各アンテナにおける受信信号レベルとビット誤り率とに基づいてアンテナを切替える手法も開示されている（例えば、特許文献２参照。）。この特許文献２では、例えば混信やノイズ発生時など、受信信号レベルとビット誤り率の相関関係が崩れた場合においても、受信データのビット誤り率を加味してアンテナ切替えを行なうことにより、通信品質を確保している。さらに、受信データに対してパケット単位で誤り検出・誤り訂正を行ない、現在使用中の回線の誤りが訂正可能な閾値を超えそうなときは、他のアンテナに接続された良好な回線に切替えることで、切替え時に起こる不良データの送出を防止する事例も開示されている（例えば、特許文献３参照。）。
【特許文献１】特開２００２−２４６９６８号公報（第５ページ、図１）
【特許文献２】特開平９−１９１３０５号公報（第５ページ、図１）
【特許文献３】特開２００２―８４２１５号公報（第５ページ、図１）
【発明の開示】
【発明が解決しようとする課題】
【０００５】
ところで、データ通信においては、データの欠損や再送が少なくかつ伝送遅延の少ない、常に良好な伝送品質を有する通信回線が求められる。特に、移動体等を対象にした無線通信システムでは、移動体との相互位置関係により電波伝搬の状態が大きく変化することから、上述のようなダイバーシティによる手法も、安定な通信回線を得る手法として活用されている。
【０００６】
しかしながら、複数設けたアンテナを選択切替えする際に、例えば、受信信号レベルに基づいて選択すると、伝送品質に無関係に選択されてしまう。すなわち、受信データの品質が良好であるにもかかわらず他のアンテナに切り替わったり、あるいは、受信データの品質が良好でない時に他のアンテナを選択できないといった不都合が発生していた。
【０００７】
また、例えばビット誤り率等の通信品質を併せて考慮して選択した場合は、上述した事例のように複数のアンテナに対して後に続く受信系を１系統とした構成では、アンテナ切替え時に通信が瞬断されるおそれがある。このため、信号受信中の特定のタイミングで切替えを行なうなど、アンテナ切替えのタイミングが制約されていた。さらに、複数のアンテナからの受信データをすべて受けとってから選択切替えの判定を行なうので、データ伝送における遅延が避けられなかった。
【０００８】
本発明は、上述の事情を考慮してなされたものであり、伝送品質の良好なアンテナを選択する際に通信の瞬断を伴うことなく、且つデータの伝送遅延の少ない良好なデータの伝送品質を有する冗長受信処理装置及び冗長受信処理方法を提供することを目的とする。
【課題を解決するための手段】
【０００９】
上記目的を達成するために、本発明の冗長受信処理装置は、データにこのデータの伝送品質情報が付加されて送信されるデータ信号を受信する複数のアンテナと、前記複数のアンテナに対応して設けられ、前記各アンテナで受信した同一の前記データ信号をそれぞれに復調し、前記データと前記伝送品質情報とを復調データとして出力する複数の受信処理部と、前記複数の受信処理部からの前記同一のデータ信号に対する復調データを受けとり、これら復調データに対して前記複数の受信部からの到着順に前記復調データ内の伝送品質情報を検定するとともに、あらかじめ設定された前記検定の条件を満足している最初の前記復調データを選択してこの選択した復調データに基づいて前記データを再生し受信データとして出力する受信データ再生部とを有することを特徴とする。
【００１０】
また、本発明の冗長受信処理方法は、データにこのデータの伝送品質情報が付加されて送信されるデータ信号を複数のアンテナで受信し、前記受信したデータ信号を前記複数の各アンテナに対応させてそれぞれに復調し前記データと前記伝送品質情報とを復調データとして出力し、これら復調データが出力された順に前記復調データ内の前記伝送品質情報を検定し、あらかじめ設定された前記検定の条件を満足している最初の前記復調データを選択し、この選択した復調データに基づいて前記データを再生し受信データとして出力することを特徴とする。
【発明の効果】
【００１１】
本発明によれば、伝送品質の良好なアンテナを選択する際に通信の瞬断を伴うことなく、且つデータの伝送遅延の少ない良好なデータの伝送品質を有する冗長受信処理装置及び冗長受信処理方法を得ることができる。
【発明を実施するための最良の形態】
【００１２】
以下に、本発明に係る冗長受信処理装置及び冗長受信処理方法を実施するための最良の形態について、図１及び図２を参照して説明する。
【実施例１】
【００１３】
図１は、本発明に係る冗長受信処理装置の一実施例を示すブロック図である。本実施例においては、アンテナの数、及びアンテナに対応して設けられた受信処理部の数をそれぞれ２としている。
【００１４】
この冗長受信処理装置は、２つのアンテナ１１及び１２、これら２つのアンテナに対応して設けられた受信処理部２１及び２２、ならびに受信データ再生部３０から構成されている。２つのアンテナ１１及び１２は、無線送信されたデータ信号を受信し、受信信号としてそれぞれ対応して接続された受信処理部２１及び２２に送出する。受信処理部２１及び２２は、それぞれアンテナ１１及び１２から送られてくる受信信号を受信処理し、復調データとして受信データ再生部３０に送出する。受信データ再生部３０は、これら復調データを受けとって受信データを再生し、後段に出力する。
【００１５】
次に、上述のように構成した本発明に係る冗長受信処理装置の動作を、前述の図1及び図２のフローチャートを参照して説明する。なお、この事例では、データに付加される伝送品質情報は、送信対象のデータのＣＲＣ値としている。
【００１６】
まず、送信対象のデータとこのデータのＣＲＣ値とを含むデータ信号が無線送信されると、このデータ信号は、アンテナ１１及び１２で受信される。受信されたデータ信号は、受信信号として、アンテナ１１及び１２からそれぞれのアンテナに対応して設けられた受信処理部２１及び２２に送出される（ＳＴ１）。
【００１７】
受信処理部２１及び２２では、この受信信号を受けとってそれぞれに受信処理し、受信信号内のデータ及びＣＲＣ値を復調する。これら復調されたデータ及びＣＲＣ値は、復調データとしてそれぞれの受信処理部２１及び２２から受信データ再生部３０に送出される（ＳＴ２）。
【００１８】
受信データ再生部３０では、受信処理部２１及び２２から送られてくるそれぞれの復調データをリアルタイムに受けとり、その到着時刻順に内部の一時記憶領域に格納する（ＳＴ３）。これに続けて、両方の受信処理部２１及び２２からの復調データが揃うのを待つことなく、一時記憶領域に格納されている先頭の、すなわち到着時刻の早い復調データが取り出される（ＳＴ４）。そして、その中の復調されたデータに対するＣＲＣ値が算出される（ＳＴ５）。
【００１９】
本実施例においては、データ信号中に含まれるＣＲＣ値と、このＳＴ５のステップで算出したＣＲＣ値とが一致することを、伝送品質情報が満足すべき検定の条件としてあらかじめ設定している。従って、ここで算出されたＣＲＣ値は、ＳＴ４で取り出された復調データ中のＣＲＣ値と比較検定される（ＳＴ６）。
【００２０】
この結果、両者が一致していれば、復調されたデータにビット誤り等の伝送品質に関する問題がないものと判断し、この復調されたデータからもとのデータを再生して受信データとする（ＳＴ６のＹ）。この受信データは、受信データ再生部３０から後段の機器に送出される（ＳＴ７）。そして、受信信号から受信データが再生されたことによって、受信処理部２１及び２２から受けとった復調データに対する一連の処理を終えたものとし、受信データ再生部３０内の一時記憶領域はすべて消去される。なお、このときには、上記したＳＴ３及びＳＴ４のステップにおいて、あとからデータ再生部３０へ到着して一時記憶されていた復調データもあわせて消去される（ＳＴ１０）。
【００２１】
一方、ＳＴ６のステップにおける比較検定の結果、両者が一致していなければ、復調されたデータに品質的な問題ありと判断する（ＳＴ６のＮ）。そして、処理中のこの復調データより後に、異なる受信処理部から到着して一時記憶領域に格納されている復調データがあるか否かを判定する（ＳＴ８）。その結果、格納されている復調データがある場合には、これを次の処理対象として、前述のＳＴ４からのステップを実行する（ＳＴ８のＹ）。
【００２２】
しかし、格納されている復調データがない場合には、所定の品質を持った受信データを得ることは困難と判断する（ＳＴ８のＮ）。その後、データ欠損の発生の通知や記録など、所要のデータ欠損処理を実行し、上記したＳＴ１０のステップに進む（ＳＴ９）。そして、動作終了が指示されるまで、上述のＳＴ１からＳＴ１０のステップが実行される。
【００２３】
以上説明したように、本実施例においては、２本のアンテナのそれぞれに対応して受信処理部を設け、アンテナと受信処理部から成る受信系を複数系構成しておき、データ信号をそれぞれの受信系で受信処理して継続的に復調データを得ている。これにより、アンテナを選択切り替えする際は、直接アンテナを切替えるのではなく、上記した受信系から出力される復調データを選択しているので、通信の瞬断を伴うことなく選択切替えを行なうことができる。
【００２４】
また、各受信系から受信データ再生部に最も早く到着した復調データから順に、伝送品質情報としてのＣＲＣ値をリアルタイムに検定し、条件を満足していれば、この検定済みの復調データに基づいて受信データを再生し後段に出力している。これにより、データの伝送遅延の少ない良好な伝送品質を有するデータ通信を行なうことができる。
【００２５】
なお、本実施例においては、アンテナの数、及びアンテナに対応して設けられた受信処理部の数をそれぞれ２とした構成について説明したが、これを３以上として構成することも可能である。また、そのときの装置内の各部の動作も上述した説明と同様であり、その効果も同様に得ることができる。
【図面の簡単な説明】
【００２６】
【図１】本発明に係る冗長受信処理装置の一実施例を示すブロック図。
【図２】図１の冗長受信装置の動作を説明するためのフローチャート。
【符号の説明】
【００２７】
１１、１２  アンテナ
２１、２２  受信処理部
３０  受信データ再生部
【図１】
2006197261.tif 000003
【図２】
2006197261.tif 000004